【手続補正書】
【提出日】平成16年3月12日(2004.3.12)
【手続補正１】
【補正対象書類名】明細書
【補正対象項目名】特許請求の範囲
【補正方法】変更
【補正の内容】
【特許請求の範囲】
【請求項１】
回転部とこれに対峙する固定部との間に配置されたシール材を有するシールリングを備え、同シールリングは前記回転部の水平分割面寄りに配置された固定シールリングと中央寄りに配置された可動シールリングとにより構成し、同可動シールリングは前記回転部の起動、停止時に半径方向外方に弾性体で付勢され、定格運転時に半径方向内側に作動流体で押圧されるタービンの自動調整シールにおいて、前記固定シールリングと可動シールリングとは合せ面で互に接すると共に、前記可動シールリングを位置決めする周方向中央位置に設けた案内装置を有し、前記弾性体を前記可動シールリングの内側に配置したバネで構成し、前記各シールリングの軸方向断面形状は低圧側と高圧側とで形状の異なる非対称形とし、前記シール材が複数枚の薄板から構成されていることを特徴とするタービンの自動調整シール。
【請求項２】
前記固定シールリングと可動シールリングの合せ面は、互に接する水平方向に延びる平坦面で形成し、同合せ面の固定シールリング側に前記可動シールリングの垂直方向の移動を案内するガイドピンを設けたことを特徴とする請求項１記載のタービンの自動調整シール。
【請求項３】
前記各シールリングの軸方向断面形状は、高圧側に延びる突き出し部を有し、低圧側はスラスト面より低圧側には突出しない非対称形のラビリンスブロックであることを特徴とする請求項１又は２記載のタービンの自動調整シール。
【請求項４】
前記弾性体は前記回転部の軸方向及び周方向に夫々一定のバネ定数を有する皿バネで構成したことを特徴とする請求項１，２又は３記載のタービンの自動調整シール。
【請求項５】
前記固定シールリングと可動シールリングは、それぞれ前記回転部の中心を通る水平分割面で区画して配置され、前記固定シールリングが前記水平分割面から前記中心に対して周方向にそれぞれ約２５°の範囲に延びて両側に配置され、前記可動シールリングが中央部分１３０°の範囲に亘って延びて配置される３分割構造としたことを特徴とする請求項１から４のいずれかに記載のタービンの自動調整シール。
【請求項６】
前記可動シールリングは中央に位置決めピンを設け、同位置決めピンと前記両側の各合せ面に設けたガイドピンの３点で位置決めするように構成したことを特徴とする請求項５記載のタービンの自動調整シール。
【請求項７】
前記可動シールリングは、内側において前記シールリング受の低圧側のシールリング基準面及びスラスト受面の間にそれぞれ所定の隙間を有し、同それぞれの隙間の複数個所に波形バネを介装したことを特徴とする請求項１から６のいずれかに記載のタービンの自動調整シール。
【請求項８】
前記案内装置と波形バネに代えて押え板をバネで付勢して位置決めする支持機構を複数配置したことを特徴とする請求項７記載のタービンの自動調整シール。
【請求項９】
回転部とこれに対峙する固定部との間に配置されたシール材を有するシールリングを備え、同シールリングは前記回転部の水平分割面寄りに配置された固定シールリングと中央寄りに配置された可動シールリングとにより構成し、同可動シールリングは前記回転部の起動、停止時に半径方向外方に弾性体で付勢され、定格運転時に半径方向内側に作動流体で押圧されるタービンの自動調整シールにおいて、前記固定部と対向する前記可動シールリングの半径方向外面に同可動シールリングを押圧する作動流体が供給される圧力作用空間が形成されていることを特徴とするタービンの自動調整シール。
【請求項１０】
前記シール材として回転軸の軸方向に延びる可撓性を有する薄板を複数枚互に所定の隙間を保って同回転軸周囲に摺動するように多重に重ねて配設し、同各薄板の外周側基端をケーシング側に固定して構成し、前記回転軸の外周をシール可能とする軸シール機構であって、前記薄板にはその表面から突出してなる隙間形成部が設けられていることを特徴とする軸シール機構を有した請求項１又は９記載のタービンの自動調整シール。
【請求項１１】
前記隙間形成部は、前記薄板の一部が変形させられてなる突起であり、同突起を隣接する薄板に重ねることにより隙間を形成することを特徴とする請求項１０記載のタービンの自動調整シール。
【請求項１２】
前記隙間形成部は、前記薄板の一部に形成された被覆層であり、同被覆層を隣接する薄板に重ねることにより隙間を形成することを特徴とする請求項１０記載のタービンの自動調整シール。
【請求項１３】
前記隙間形成部は、前記薄板の一部をエッチングすることにより形成される段差部であり、同段差部を隣接する薄板に重ねることにより隙間を形成することを特徴とする請求項１０記載のタービンの自動調整シール。
【手続補正２】
【補正対象書類名】明細書
【補正対象項目名】００１５
【補正方法】変更
【補正の内容】
【００１５】
（８）前記案内装置と波形バネに代えて押え板をバネで付勢して位置決めする支持機構を複数配置したことを特徴とする（７）記載のタービンの自動調整シール。


【手続補正３】
【補正対象書類名】明細書
【補正対象項目名】００１６
【補正方法】変更
【補正の内容】
【００１６】
（９）回転部とこれに対峙する固定部との間に配置されたシール材を有するシールリングを備え、同シールリングは前記回転部の水平分割面寄りに配置された固定シールリングと中央寄りに配置された可動シールリングとにより構成し、同可動シールリングは前記回転部の起動、停止時に半径方向外方に弾性体で付勢され、定格運転時に半径方向内側に作動流体で押圧されるタービンの自動調整シールにおいて、前記固定部と対向する前記可動シールリングの半径方向外面に同可動シールリングを押圧する作動流体が供給される圧力作用空間が形成されていることを特徴とするタービンの自動調整シール。


【手続補正４】
【補正対象書類名】明細書
【補正対象項目名】００１７
【補正方法】変更
【補正の内容】
【００１７】
（１０）前記シール材として回転軸の軸方向に延びる可撓性を有する薄板を複数枚互に所定の隙間を保って同回転軸周囲に摺動するように多重に重ねて配設し、同各薄板の外周側基端をケーシング側に固定して構成し、前記回転軸の外周をシール可能とする軸シール機構であって、前記薄板にはその表面から突出してなる隙間形成部が設けられていることを特徴とする軸シール機構を有した請求項１又は９記載のタービンの自動調整シール。


【手続補正５】
【補正対象書類名】明細書
【補正対象項目名】００２９
【補正方法】変更
【補正の内容】
【００２９】
本発明の（８）によれば、押え板をバネで付勢して得られる力により、ガイドピン等の付属物を要することなく可動シールリングの位置決めを行うことが出来、装置の大型化に走らず適切な支持力を得、狭隘部位に採用しうる。
【手続補正６】
【補正対象書類名】明細書
【補正対象項目名】００３０
【補正方法】変更
【補正の内容】
【００３０】
本発明の（９）によれば、可動シールリングには圧力作用空間が形成されており、運転中に定格状態となると、タービン内部に作動流体が生じ圧力が上昇して可動シールリングの軸前後方向に高圧側と低圧側の区分ができる。高圧側より作動圧力流体が圧力作用空間に作用し、可動シールリングを回転部、即ち、ロータ側へ押圧し、可動シールリングのシールとロータ間のクリアランスを小さくすることができる。
【手続補正７】
【補正対象書類名】明細書
【補正対象項目名】００３２
【補正方法】変更
【補正の内容】
【００３２】
本発明の（１１）によれば、薄板には薄板の一部を変形させた突起を形成しており、薄板とは別体の部材を固定することで隙間形成部が構成されるのではなく、薄板の一部を変形させることで隙間形成部が構成されるため部品点数の増加を招くことがない。この突起は例えば精密プレス加工により形成される。


【手続補正８】
【補正対象書類名】明細書
【補正対象項目名】００８０
【補正方法】変更
【補正の内容】
【００８０】
本発明の（８）によれば、押え板をバネで付勢して得られる力により、ガイドピン等の付属物を要することなく可動シールリングの位置決めを行うことが出来、装置の大型化に走らず適切な支持力を得、狭隘部位に採用しうる。
【手続補正９】
【補正対象書類名】明細書
【補正対象項目名】００８１
【補正方法】変更
【補正の内容】
【００８１】
本発明の（９）は、回転部とこれに対峙する固定部との間に配置されたシール材を有するシールリングを備え、同シールリングは前記回転部の水平分割面寄りに配置された固定シールリングと中央寄りに配置された可動シールリングとにより構成し、同可動シールリングは前記回転部の起動、停止時に半径方向外方に弾性体で付勢され、定格運転時に半径方向内側に作動流体で押圧されるタービンの自動調整シールにおいて、前記固定部と対向する前記可動シールリングの半径方向外面に同可動シールリングを押圧する作動流体が供給される圧力作用空間が形成されていることを特徴としている。
【手続補正１０】
【補正対象書類名】明細書
【補正対象項目名】００８２
【補正方法】変更
【補正の内容】
【００８２】
上記構成の本発明の（９）によれば、可動シールリングには圧力作用空間が形成されており、運転中には定格状態となると、タービン内部に作動流体が生じ圧力が上昇して可動シールリングの軸前後方向に高圧側と低圧側の区分ができ、高圧側より作動圧力流体が圧力作用空間に作用し、可動シールリングを回転部、即ち、ロータ側へ押圧し、可動シールリングのシールとロータ間のクリアランスを小さくすることができる。
【手続補正１１】
【補正対象書類名】明細書
【補正対象項目名】００８３
【補正方法】変更
【補正の内容】
【００８３】
本発明の（１０）は、本発明の（１）又は（９）のものにおいて、前記シール材として回転軸の軸方向に延びる可撓性を有する薄板を複数枚互に所定の隙間を保って同回転軸周囲に摺動するように多重に重ねて配設し、同各薄板の外周側基端をケーシング側に固定して構成し、前記回転軸の外周をシール可能とする軸シール機構であって、前記薄板にはその表面から突出してなる隙間形成部が設けられていることを特徴としている。